(57)【特許請求の範囲】
【請求項１】
記録媒体に記録された圧縮画像信号を復号再生する装置において、記録媒体に記録された圧縮画像信号を読み取る読取部と、読み取られた圧縮画像信号を格納する格納手段及び該格納手段に格納された圧縮画像信号を復号する復号手段をそれぞれ独立に有する複数の復号部と、前記各復号部を制御する制御部とを備え、前記複数の復号部により複数の画像を同期再生するように構成したことを特徴とする画像記録媒体再生装置。
【発明の詳細な説明】
【０００１】
【産業上の利用分野】
本発明は、圧縮された画像信号を記録媒体から復号再生する装置に関するものである。
【０００２】
【従来の技術】
優れた臨場感及び実在感を観衆に提供するための３次元画像表示が、博覧会等の催しにおいて行われて来たが、博覧会での利用だけにとどまらず、医学，教育，土木，ビデオゲーム，コンピュータグラフィックス等の実用性が高い分野にわたって、３次元画像表示が浸透している。
【０００３】
３次元画像表示の技術としては、偏向フィルタ，液晶シャッタ等の特別なメガネを使用する立体表示方式が実用化されている。ところが、この場合にはメガネの装着が煩わしいという課題がある。この課題を解決するために、ＮＨＫ技研Ｒ＆ＤＮｏ．23に、このような特別なメガネを使用しない３次元画像のディスプレイ装置が報告されてる。
【０００４】
図２は、このディスプレイ装置への画像信号の入力状態を示す模式図であり、図中21は、３次元画像ディスプレイである。３次元画像ディスプレイ21には、右目用の画像信号と左目用の画像信号とが独立に入力される。このように、３次元画像ディスプレイ21に入力する画像信号は、右目用と左目用との２系統が必要であり、その２系統の画像信号は、水平，垂直共に完全に同期して位相も合致していなければならない。
【０００５】
図２に示すような２系統の画像信号を供給する方法として、図３，図４，図５に示す方法が従来から行われている。以下、これらの方法について簡単に説明する。
【０００６】
図３は、２台の記録媒体再生装置22, 23を同期駆動させて２系統の画像信号を提供する方法を示している。一方の記録媒体再生装置22から他方の記録媒体再生装置23へ各種信号、例えば水平同期信号, 垂直同期信号, 画像表示ドットクロック信号, 各種の動作に関わる制御信号を出力し、各記録媒体再生装置22, 23にて２個の同一の記録媒体をそれぞれ再生して、同期して位相も合った右目用，左目用の画像信号を出力する。
【０００７】
図４は、１台の再生装置24を用いて、例えばレーザディスク等の１個の記録媒体25の表面及び裏面を同時に再生して２系統の画像信号を提供する方法を示している。この方法では、同時に１個の記録媒体25の表面及び裏面を再生するので、同期した２種の再生画像信号を得ることはできるが、一般的に画像信号はＦＭ変調されて記録されているので、位相が合っていない。よって、各系統から出力される再生画像信号の位相を比較する位相比較器30と、その比較結果に応じて各系統における再生画像信号の位相を遅延する遅延素子28, 29とを備える。記録媒体25の表面から再生されたＦＭ変調の画像信号は復調回路26にて復調された後に遅延素子28に入力する。同様に、記録媒体25の裏面から再生されたＦＭ変調の画像信号は復調回路27にて復調された後に遅延素子29に入力する。遅延素子28, 29からの出力信号の位相が位相比較器30にて比較され、その比較結果が遅延素子28, 29へフィードバックされる。そして、同期して位相も合った右目用，左目用の画像信号が、遅延素子28, 29から出力される。
【０００８】
図５は、例えばＶＴＲ用の磁気テープ等の記録媒体31に、右目用の画像信号と左目用の画像信号とを交互に記録し、再生側で遅延素子35, 36を用いることにより同期しかつ位相が合った２系統の画像信号を提供する方法を示している。この方法でも、上述の方法と同様に、２系統の画像信号の位相を合致させるために、各系統から出力される再生画像信号の位相を比較する位相比較器37と、その比較結果に応じて各系統における再生画像信号の位相を遅延する遅延素子35, 36とを備える。記録媒体31からの再生画像信号は、スイッチ32により、右目用の再生画像信号と左目用の再生画像信号とに切り換えられて、データ補間回路33, 34に入力される。データ補間回路33, 34にて、入力されない部分の補間処理が施された後に遅延素子35, 36に入力する。遅延素子35, 36からの出力信号の位相が位相比較器37にて比較され、その比較結果が遅延素子35, 36へフィードバックされる。そして、同期して位相も合った右目用，左目用の画像信号が、遅延素子35, 36から出力される。
【０００９】
【発明が解決しようとする課題】
図３に示した方法では、２系統の再生信号を同期させて位相を合致させるために、一方の記録媒体再生装置22からの各種信号に従って他方の記録媒体再生装置23が動作することになるので、記録媒体再生装置23の回路規模が大きくなるという欠点がある。また、この方法では、１つの３次元画像を得るために、２個の記録媒体を必要とする欠点もある。
【００１０】
図４，図５に示した方法では、１個の記録媒体から１つの３次元画像が得られるので、上述したような欠点は解消できるが、遅延素子を用いて２系統の再生信号の位相を合致させるようにしたので、例えばディジタルメモリ等の記憶素子が必須であり、大きな回路規模とならざるを得ないという課題がある。
【００１１】
ところで、画像信号のデータ量を削減する目的にて、ＭＰＥＧ（Moving Picture Experts Group）により規格化された動画像の圧縮伸長技術を用いてＣＤ（Compact Disk）に動画像を記録再生する方法が公知である。図６は、このＭＰＥＧによる技術を利用してデータが記録されたビデオＣＤ，カラオケＣＤに対応した１系統の復号再生回路を有する再生装置の構成を示す模式図である。この復号再生回路には、ディジタル的に圧縮されたデータを復元するためのディジタル記憶素子を必要とし、一般的にはこのディジタル記憶素子としてＤＲＡＭが使用される。
【００１２】
図６において、12はＣＤ−ＲＯＭからなる記録媒体11からデータを読み出すＣＤ−ＲＯＭデコーダである。ＣＤ−ＲＯＭデコーダ12にて読み出されたデータは、ＣＰＵ14と接続されたシステムコントローラ13, 圧縮データを元のデータに伸長復号するＭＰＥＧデコーダ15を介して、記憶素子としてのＤＲＡＭ16に、一旦格納される。システムコントローラ13からの指示に従って、ＤＲＡＭ16に格納された再生圧縮データがＭＰＥＧデコーダ15に読み出され、元のデータに復号される。復号された元のデータはＤ／Ａ変換器17にてアナログ化された後にディスプレイ18に出力されて、復号データに応じた画像が表示される。
【００１３】
一般的にＣＤ−ＲＯＭのデータ転送レートは 1.5Ｍｂｐｓであり、ビデオＣＤ，カラオケＣＤにあっては、画像信号に約 1.2Ｍｂｐｓ、音声信号に約 0.2Ｍｂｐｓを使用している。また、標準のＣＤ−ＲＯＭを対象とするＣＤ−ＲＯＭデコーダは、回転数が 200〜500 ｒｐｍ、走査速度が 1.2〜 1.4ｍ／ｓｅｃ、最大再生時間が74分である。
【００１４】
本発明は斯かる事情に鑑みてなされたものであり、圧縮データを復号する際に使用する記憶素子を有効に活用にすることにより、特別な回路を追加設置することなく小さな回路規模にて、水平，垂直共に同期しかつ位相が合致した複数の再生画像信号を得て、複数の画像を完全に同期再生することが可能である画像記録媒体再生装置を提供することを目的とする。
【００１５】
【課題を解決するための手段】
本発明に係る画像記録媒体再生装置は、記録媒体に記録された圧縮画像信号を復号再生する装置において、記録媒体に記録された圧縮画像信号を読み取る読取部と、読み取られた圧縮画像信号を格納する格納手段及び該格納手段に格納された圧縮画像信号を復号する復号手段をそれぞれ独立に有する複数の復号部と、前記各復号部を制御する制御部とを備え、前記複数の復号部により複数の画像を同期再生するように構成したことを特徴とする。
【００１６】
【作用】
本発明の画像記録媒体再生装置では、記録媒体からの圧縮画像信号を格納する格納手段と格納された圧縮画像信号を復号する復号手段とを有する複数の復号部のそれぞれにおいて、圧縮画像信号を復号再生して再生信号を得る。この際、制御部は、各復号部からの再生信号が水平，垂直共に同期してしかも位相が合致するように、各復号部の動作を制御する。この結果、水平，垂直共に同期してしかも位相が合致した複数の画像信号が得られる。
【００１７】
【実施例】
以下、本発明をその実施例を示す図面に基づいて具体的に説明する。
【００１８】
図１は、本発明の画像記録媒体再生装置の構成を示す模式図である。図１において、２はＣＤ−ＲＯＭからなる記録媒体１から圧縮データを読み取る読取部としてのＣＤ−ＲＯＭドライブである。ＣＤ−ＲＯＭドライブ２は、読み取った圧縮データを、ＣＰＵ４に接続された制御部としてのシステムコントローラ３へ出力する。システムコントローラ３は、入力された圧縮データを、右目用と左目用とに分けて、右目用の圧縮データを右目用の復号手段であるＭＰＥＧデコーダ５へ出力し、左目用の圧縮データを左目用の復号手段であるＭＰＥＧデコーダ６へ出力する。
【００１９】
各ＭＰＥＧデコーダ５，６は、入力された圧縮データを、一旦、対応する格納手段としてのＤＲＡＭ７，８にそれぞれ書き込む。各ＭＰＥＧデコーダ５，６は、付随するＤＲＡＭ７，８に１画面再生分の圧縮データが格納された後に、その格納された圧縮データを読み出して元のデータに復号し、復号した元のディジタルデータを、対応するＤ／Ａ変換器９，10へ出力する。各Ｄ／Ａ変換器９，10は、入力ディジタルデータをアナログデータに変換し、Ｄ／Ａ変換器９は右目用の再生画像信号を３次元画像ディスプレイ（図示せず）へ出力し、Ｄ／Ａ変換器10は左目用の再生画像信号を同じ３次元画像ディスプレイへ出力する。
【００２０】
なお、図１に示すＣＤ−ＲＯＭドライブ２は、標準のＣＤ−ＲＯＭをベースにしたドライブ装置の２倍速であり、回転数が 400〜1000ｒｐｍ、走査速度が 2.4〜 2.8ｍ／ｓｅｃ、最大再生時間が37分である。
【００２１】
次に、動作について説明する。記録媒体（ＣＤ−ＲＯＭ）１からＣＤ−ＲＯＭドライブ２にて読み取られた圧縮データが、システムコントローラ３に入力される。システムコントローラ３では、入力されてくる圧縮データがセクタ単位にて右目用圧縮データと左目用圧縮データとに区別され、右目用圧縮データはＭＰＥＧデコーダ５へ出力され、左目用圧縮データはＭＰＥＧデコーダ６へ出力される。各ＭＰＥＧデコーダ５，６に入力された圧縮データは、一旦、それぞれに付随したＤＲＡＭ７，８にそれぞれ書き込まれる。
【００２２】
そして、１画面再生分の圧縮データが、両ＤＲＡＭ７，８に書き込まれると、対応する各ＭＰＥＧデコーダ５，６がその旨をシステムコントローラ３に通知する。システムコントローラ３は、両ＤＲＡＭ７，８が圧縮データで満たされたことを確認した後、復号化を開始するための指令を各ＭＰＥＧデコーダ５，６へ出力する。
【００２３】
この指令が入力されると、各ＤＲＡＭ７，８から圧縮データが各ＭＰＥＧデコーダ５，６に読み出され、その圧縮データが復号再生される。復号された元のディジタル画像信号は、各ＭＰＥＧデコーダ５，６から対応する各Ｄ／Ａ変換器９，10へ出力されて、アナログ画像信号に変換される。Ｄ／Ａ変換器９から右目用のアナログ再生画像信号が３次元画像ディスプレイへ出力され、一方、Ｄ／Ａ変換器10から左目用の再生画像信号が同じ３次元画像ディスプレイへ出力される。そして、３次元画像ディスプレイにおいて再生画像信号に基づく３次元画像が表示される。
【００２４】
各ＭＰＥＧデコーダ５，６の復号動作をシステムコントローラ３にて制御しているので、右目用，左目用の再生画像信号の完全な同期化を実現でき、また両再生画像信号の位相を合致させることができる。一方、各ＭＰＥＧデコーダ５，６における圧縮データの復号化処理には、ディジタルメモリが必要であるが、本実施例では、右目用，左目用の再生画像信号の同期を合わせる目的にも、このディジタルメモリ（ＤＲＡＭ７，８）を有効に使用している。以上のようにして本実施例では、記憶素子等の特別な回路を追加して設けることなく、水平，垂直共に同期しかつ位相が合致した右目用の再生画像信号，左目用の再生画像信号を得ることができる。
【００２５】
なお、上述した実施例では、２つの再生画像信号を得て２画面を同時再生する場合について説明したが、Ｎ個の再生画像信号を得てＮ画面を同時再生する場合については、ＭＰＥＧデコーダ，これに付随するＤＲＡＭ，Ｄ／Ａ変換器からなる復号系をＮ系統だけ設けるようにすれば、全く同様に本発明を適用できることは勿論である。つまり、水平，垂直共に同期しかつ位相が合致したＮチャンネルの画像信号を同時に再生することができる。このような場合のＣＤ−ＲＯＭドライブでは、標準のＣＤ−ＲＯＭドライブに比べてＮ倍速であり、回転数が(200〜500)×Ｎｒｐｍ、走査速度が(1.2〜1.4)×Ｎｍ／ｓｅｃ、最大再生時間が74／Ｎ分である。
【００２６】
【発明の効果】
以上のように、圧縮された画像信号を復号再生する本発明の画像記録媒体再生装置では、複数系統の復号部の各格納手段を有効に活用にしたので、水平，垂直共に同期しかつ位相が合致した複数の再生画像信号を、特別な回路を追加することなく、得ることができて、複数の画像を同時再生することができる等、本発明は優れた効果を奏する。
【図面の簡単な説明】
【図１】本発明に係る画像記録媒体再生装置の一実施例の構成を示す模式図である。
【図２】３次元画像ディスプレイへの画像信号の入力形態を示す模式図である。
【図３】２系統の画像信号を得る従来の手法を説明するための模式図である。
【図４】２系統の画像信号を得る従来の他の手法を説明するための模式図である。
【図５】２系統の画像信号を得る従来の更に他の手法を説明するための模式図である。
【図６】ＭＰＥＧによる圧縮技術を利用した従来の２次元画像再生装置の構成を示す模式図である。
【符号の説明】
１  記録媒体（ＣＤ−ＲＯＭ）
２  ＣＤ−ＲＯＭドライブ
３  システムコントローラ
４  ＣＰＵ
５，６  ＭＰＥＧデコーダ
７，８  ＤＲＡＭ
９，10  Ｄ／Ａ変換器
【図１】
0003649753.tif 000002
【図２】
0003649753.tif 000003
【図３】
0003649753.tif 000004
【図４】
0003649753.tif 000005
【図５】
0003649753.tif 000006
【図６】
0003649753.tif 000007